(57)【要約】【課題】遊技領域を照明するパチンコ機において、遊技領域のサイズを充分に確保出来ると共に、遊技盤の取扱い時の損傷のおそれを軽減することの出来る、新規な構造のパチンコ機を提供すること。【解決手段】透光性を有する透明板３６ａ，３６ｂで遊技盤１６を構成すると共に、該透明板３６ａ，３６ｂに乱反射領域４０ａ，４０ｂを設ける一方、該透明板３６ａ，３６ｂに該配設部３８を形成して装飾部材４４を該配設部３８に挿し入れて配設し、光源６６を透明板３６a で支持せしめて該配設部３８内に配設した。【選択図】図５
2009207881.tif 000002
【特許請求の範囲】
【請求項１】
遊技領域が形成された遊技盤に装飾部材が配設されるパチンコ機において、
透光性を有する透明板を用いて前記遊技盤を構成すると共に、該透明板に光を乱反射する乱反射領域を設ける一方、該透明板の板厚方向の凹部又は板厚方向に貫通する貫通孔により前記装飾部材の配設部を形成すると共に、該配設部に該装飾部材を挿し入れて配設し、光源を該配設部内側に配設することによって、該光源からの光を該配設部の内周端面から該透明板に入射させ、該透明板に入射した光を該乱反射領域で乱反射させて、該遊技盤の表面側から出射させるようにしたことを特徴とするパチンコ機。
【請求項２】
前記配設部の内周端面と対向位置せしめられる前記装飾部材の外周面で前記光源が支持されることによって、該光源が該配設部の内周端面と対向位置せしめられている請求項１に記載のパチンコ機。
【請求項３】
前記透明板を板厚方向で複数枚重ね合わせた積層構造として前記遊技盤を構成すると共に、それぞれの該透明板に対して光を入射させる前記光源が互いに別体とされている請求項１又は２に記載のパチンコ機。
【発明の詳細な説明】
【技術分野】
【０００１】
本発明は、遊技領域が形成された遊技盤を備えたパチンコ機に係り、特に遊技領域が照明されるパチンコ機に関するものである。
【背景技術】
【０００２】
従来から、殆どのパチンコ機には、装飾効果を高めたり、遊技の演出効果を高めるために、照明効果が加えられている。このような照明効果としては、遊技盤に取り付けられた役物などの装飾部材をＬＥＤ等の光源を用いて照明するものが一般的であるが、近年では、更なる効果を得るために、遊技領域そのものを発光せしめるようにしたものが提案されている。
【０００３】
例えば、特許文献１に記載のものが、それである。特許文献１に記載のパチンコ機は、遊技領域が形成される遊技盤を透明の部材で構成すると共に、該遊技盤の裏面に透明の導光板を配設する一方、該導光板に光を反射する粗面領域を形成して、かかる導光板をその外周に配設された光源で照明するようにされている。このようにすれば、光源から照射された光が導光板の粗面領域で乱反射されることによって粗面領域が周囲に比して明るくされることとなり、遊技領域を照明することが出来る。
【０００４】
ところが、特許文献１に記載のパチンコ機においては、光源を導光板の外周部分、即ち、遊技盤の外周部分に配設するために、光源を支持して遊技盤の外周部分に取り付ける特別の支持部材が必要となって、部品点数の増加を招く。また、遊技盤のみの交換に対応するためには、遊技盤の外周縁部を構成することとなる支持部材の形状を従来の遊技盤の外周縁部の形状と揃えなければならず、支持部材の形状加工に手間を要した。
【０００５】
更にまた、遊技盤のサイズは、遊技盤のみの交換を可能とするために、略一定のサイズに統一されている。それ故、光源を遊技盤の外周に配設すると、光源にスペースが占められることによって遊技領域のサイズを縮小せざるを得なくなるという問題を有していた。また、遊技盤の外周部分は、遊技盤を交換する等の取扱いの際に作業者に掴まれたり、枠体に接触する部位であることから、遊技盤の外周部分が支持部材などの別部材で構成されていると、交換等の取扱いの際に支持部材が外れて損傷するおそれがあった。
【先行技術文献】
【特許文献】
【０００６】
【特許文献１】特開２００６−２５４９５９号公報
【発明の概要】
【発明が解決しようとする課題】
【０００７】
ここにおいて、本発明は上述の如き事情を背景として為されたものであって、その解決課題とするところは、遊技領域を照明するパチンコ機において、遊技領域のサイズを充分に確保出来ると共に、遊技盤の取扱い時の損傷のおそれを軽減することの出来る、新規な構造のパチンコ機を提供することにある。
【課題を解決するための手段】
【０００８】
以下、前述の如き課題を解決するために為された本発明の態様を記載する。なお、以下に記載の各態様において採用される構成要素は、可能な限り任意の組み合わせで採用可能である。
【０００９】
すなわち、本発明は、透明板を用いて遊技盤を構成すると共に、該透明板に光を乱反射する乱反射領域を設ける一方、該透明板に板厚方向の凹部又は板厚方向に貫通する貫通孔により装飾部材の配設部を形成して装飾部材を該配設部に挿し入れて配設して、光源を該配設部内側に配設することによって、該光源からの光を該配設部の内周端面から該透明板に入射させ、該乱反射領域で乱反射させて該遊技盤の表面側から出射させるようにしたことを、特徴とする。
【００１０】
本態様に従う構造とされたパチンコ機においては、光源から発せられて透明板に入射した光が、乱反射領域で乱反射（散乱）せしめられる。これにより、乱反射領域を他の領域に比して明るくすることが出来て、以て、遊技領域を照明することが出来る。また、乱反射領域が全体的に明るくされることから、単に光源を遊技領域に配設した場合のような点状の照明ではなく、乱反射領域の全体に広がる面状の照明を行なうことが出来る。なお、本態様における乱反射領域の具体的な構造は、光を乱反射するものであれば特に限定されるものではない。例えば、透明板の裏面にレーザー加工等による粗面を形成して、かかる粗面を乱反射領域としたり、或いは、透明板とは別体形成されて、表面に粗面加工が施された透明な板材を透明板の裏面に貼り付けることによって、かかる粗面を乱反射領域とする態様などが好適に採用され得る。
【００１１】
そこにおいて、乱反射領域は、必ずしも当該透明板の裏面に直接に形成されている必要は無い。例えば、透明板を板厚方向で複数枚重ね合わせた積層構造として、後方に位置せしめられる透明板の表面に乱反射領域を形成して、かかる乱反射領域を、前方に位置せしめられる透明板の乱反射領域として用いる等しても良い。
【００１２】
そして、光源を配設部の内側に配設したことから、遊技盤の外周部分に光源を配設する場合のように、光源を支持するための支持部材を遊技盤の外周部分に取り付けるようなことも不要とされている。これにより、遊技盤の運搬や交換などの取扱いの際に、遊技盤の外周部分が外れて損傷するようなことを回避することが出来る。更に、遊技盤の外周部分に特別な部材を設ける必要がないことから、遊技盤の外周部分を従来と同様の形状とすることも容易であって、遊技盤のみの交換にも有利に対応することが出来る。
【００１３】
更にまた、光源を配設部の内側に配設したことから、遊技盤の外周部分に光源を配設する場合のように、光源に配設スペースを占められて遊技領域のサイズが小さくなるようなことも回避することが出来て、遊技領域のサイズを従来と同程度に確保することが出来る。即ち、従来から、遊技盤の配設部は装飾部材で隠蔽されるようになっている。そこで、かかる配設部内に光源を配設することによって、光源を装飾部材で隠蔽して外観を損なうこと無く配設すると共に、従来の遊技領域と同様のサイズを確保することが出来るのである。なお、本発明における装飾部材とは、遊技盤に形成された配設部に挿し込んで設けられる部材であれば何等限定されるものではなく、例えばセンター役物や大入賞装置などが好適に採用可能である。
【００１４】
また、本態様において、光源から発せられる光は、配設部の内周端面に直接的に入射せしめても良いし、間接的に入射せしめても良い。従って、配設部の内周端面と光源を対向位置せしめて直接的に入射せしめるのみならず、例えば、反射鏡などを用いて光源からの光を間接的に入射せしめる等しても良い。このことから明らかなように、本態様における光源は、必ずしも配設部の内周端面と対向配置せしめられる必要はない。
【００１５】
なお、光源を配設部内側に配設する態様としては、例えば、装飾部材に光源を取り付けて、かかる装飾部材を透明板に取り付けることによって、装飾部材を介して光源を透明板で支持せしめる態様が好適に採用される。このようにすれば、光源の支持部材として装飾部材を用いることによって、部品点数の減少を図ることが出来る。そこにおいて、光源の配設位置は、遊技者から視認される装飾部材の前面の背後であれば、必ずしも装飾部材の最も裏側に限定されるものではなく、装飾部材における厚さ方向（遊技盤の板厚方向）の中間部分であっても良い。
【００１６】
あるいは、光源を配設部内側に配設する更に異なる態様としては、透明板にステー等を設けて、かかるステーを介して光源を支持せしめる態様等も好適に採用される。このようにすれば、透明板と光源を一体的に取り扱うことが出来て、製造工程における取り扱い性が向上せしめられる。更に、光源と透明板との相対位置を容易に設定することが出来て、組付精度に対する要求を緩和して生産性を向上することが出来る。加えて、温度や湿度等の動作環境の影響で透明板に反りが生じた場合でも、光源と透明板との相対位置の変化を抑えることが出来る。そこにおいて、より好適には、光源の発光面が配設部の内周端面と対向位置せしめられた態様が採用される。このようにすれば、例えば光源を支持せしめた中間生産物として透明板が作業場を搬送される場合でも、光源の発光面の露出を抑えることが出来て、塵芥付着等による歩留まり低下のおそれを軽減することが出来る。
【００１７】
また、本発明においては、前記装飾部材の外周面で前記光源を支持せしめ、該光源を前記配設部の内周端面と対向位置せしめた態様も、好適に採用され得る。
【００１８】
本態様に従う構造とされたパチンコ機においては、光源を配設部の内周端面に近い位置に配設することが出来る。これにより、透明板に入射する光束をより多く確保することが出来て、乱反射領域をより明るくすることが出来る。なお、本態様において、光源の照射方向は必ずしも限定されるものではないが、内周端面に直交する方向、即ち、内周端面に対して略直角に入射する方向が好適に採用される。このようにすれば、透明板への入射に際する屈折の影響を軽減することが出来て、目的とする方向により容易に照射せしめることが出来る。
【００１９】
また、本発明においては、透明板を複数重ね合わせた積層構造として遊技盤を構成すると共に、それぞれの該透明板に対して光を入射させる前記光源が互いに別体とされている態様も、好適に採用され得る。
【００２０】
本態様に従う構造とされたパチンコ機においては、各透明板に対応する光源の発光タイミングを異ならせることによって、各透明板の乱反射領域の発光タイミングを異ならせることが出来る。これにより、より多様な照明効果を得ることが出来る。例えば、各透明板に、正面視において重なり合う部位に異なる形状の乱反射領域を形成して、各透明板に対応する光源を互いに異なるタイミングで発光せしめれば、正面視における同一領域を多種の形状や色で発光せしめること等も可能となる。
【図面の簡単な説明】
【００２１】
【図１】本発明の一実施形態としてのパチンコ機を示す正面図。
【図２】同パチンコ機に設けられる遊技盤を示す正面図。
【図３】同遊技盤を構成する透明板を示す正面図。
【図４】図３におけるＩＶ−ＩＶ断面の一部をモデル的に示す断面説明図。
【図５】図２におけるＶ−Ｖ断面の一部をモデル的に示す断面説明図。
【図６】フレキシブル基板の上面をモデル的に示す上面説明図。
【図７】図５におけるＶＩＩ−ＶＩＩ断面の一部をモデル的に示す断面説明図。
【図８】本発明の異なる態様をモデル的に示す断面説明図。
【図９】本発明の更に異なる態様をモデル的に示す断面説明図。
【図１０】本発明の更に異なる態様をモデル的に示す断面説明図。
【図１１】本発明の更に異なる態様をモデル的に示す断面説明図。
【図１２】本発明の更に異なる態様をモデル的に示す断面説明図。
【図１３】本発明の更に異なる態様をモデル的に示す断面説明図。
【発明を実施するための形態】
【００２２】
以下、本発明を更に具体的に明らかにするために、本発明の実施形態について、図面を参照しつつ、詳細に説明する。なお、以下の説明において、上下方向および左右方向とは、原則として、遊技者から見た上下方向および左右方向をいうものとし、表面、裏面および前面、後面についても、原則として、遊技者から見た表面、裏面、および前面、後面をいうものとする。
【００２３】
図１に、本発明の一実施形態としてのパチンコ機１０を示す。パチンコ機１０は、縦長な方形状に枠組み形成された外枠１２を備えている。外枠１２には、その一側において開閉自在に軸支された状態で、パチンコ機の主要構成部の略全てが集約して設けられる中枠１４が組み付けられている。また、中枠１４の表側には、中枠１４に対して裏側から取り付けられた遊技盤１６を透視保護するためのガラス板を備えたガラス枠１８と、上皿２０を備えた皿板２２がそれぞれ中枠１４の一側に開閉自在に軸支された状態で組み付けられている。更にまた、上皿２０の下方には、下皿２４が設けられており、かかる下皿２４の右方には、発射ハンドル２６が突設されている。そして、遊技者が発射ハンドル２６に対して回動可能に装着された発射レバー２８を回動操作することにより、上皿２０に貯留された遊技球が球送り機構（図示せず）を介して発射装置（図示せず）に送られた後、遊技盤１６に形成された遊技領域３０に向けて発射されるようになっている。
【００２４】
図２に、遊技盤１６を示す。遊技盤１６は、略矩形板形状を有する遊技板３２を備えており、遊技板３２の表面側に固定されたガイドレール３４によって略円形の遊技領域３０が区画形成されている。
【００２５】
そこにおいて、特に本実施形態における遊技板３２は、図３に示す２枚の透明板３６ａ，３６ｂが板厚方向で重ね合わされた積層構造とされている（図５参照）。これら透明板３６ａ，３６ｂは略同様の構造とされていることから、以下、透明板３６ａを例に説明し、透明板３６ｂについては、図中に透明板３６ａと同様の符号を付することによって、その詳細な説明を省略する。
【００２６】
図３（ａ）に、透明板３６ａを示す。透明板３６ａは、光透過性を有する部材で構成されており、本実施形態においてはアクリル樹脂によって形成されているが、その他、ポリメタクリル酸メチル（ＰＭＭＡ）やポリカーボネート（ＰＣ）なども好適に用いることが出来る。また、透明板３６ａは、有色透明および無色透明の何れでも良いし、適当な色で着色することも可能である。本実施形態においては、透明板３６ａは無色透明とされている。
【００２７】
そして、透明板３６ａは、正面視において従来公知の遊技板と略同様の構造とされており、正面視における中央部分からやや上方の部位には、略角丸四角形状を有する配設部としてのセンター挿通孔３８が板厚方向に貫設されている。更に、センター挿通孔３８の下方には、略矩形状を有する始動入賞挿通孔３９、大入賞挿通孔４１が板厚方向に貫設されている。
【００２８】
さらに、透明板３６ａには、乱反射領域としての複数の発光領域４０ａが形成されている。発光領域４０ａは、図４に示すように、透明板３６ａの裏面に対してレーザー加工や精密機械加工等の粗面加工が施されることによって形成された粗面とされている。なお、発光領域４０ａを構成する粗面の表面粗さは、好ましくは透明板３６ａの表面から見た場合に、発光領域４０ａが明瞭に視認されない程度の表面粗さとされる。一方、透明板３６ａの表面は、粗面が形成されることのない平坦面とされている。
【００２９】
かかる発光領域４０ａの正面視形状は何等限定されるものではないが、本実施形態においては、複数の発光領域４０ａによって、全体として、センター挿通孔３８から透明板３６ａの外方に向けて放射状に広がる帯状の正面視形状とされている。なお、図３（ｂ）に示すように、透明板３６ｂにも発光領域４０ａと同様の乱反射領域としての発光領域４０ｂが形成されており、特に本実施形態においては、透明板３６ａと透明板３６ｂの重ね合わせ状態での正面視において、これら発光領域４０ａ、４０ｂが重ならないようにされている。但し、これら発光領域４０ａ、４０ｂの一部乃至は全部が重なり合うようにすることも勿論可能である。
【００３０】
このような構造とされた透明板３６ａの裏面から透明板３６ｂの表面が板厚方向で重ね合わされて、接着やボルト等で互いに固定されることによって、遊技板３２が構成されている。そこにおいて、本実施形態における遊技板３２は、外周縁部４２を含む全体において、従来公知の遊技板と略同様の形状とされている。また、透明板３６ａ、３６ｂのそれぞれに貫設されたセンター挿通孔３８、始動入賞挿通孔３９、大入賞挿通孔４１等の貫通孔が重ね合わされることによって、センター挿通孔３８、始動入賞挿通孔３９、大入賞挿通孔４１等の貫通孔が遊技板３２を板厚方向に貫通して形成されることとなる。
【００３１】
そして、遊技板３２に形成されたセンター挿通孔３８、始動入賞挿通孔３９、大入賞挿通孔４１のそれぞれに、液晶表示器４３を備えるセンター役物４４、始動入賞口を備える始動入賞装置４６、および大入賞口を備える大入賞装置４８が前面から挿し入れられて取り付けられることによって、遊技領域３０にセンター役物４４、始動入賞装置４６、大入賞装置４８が配設される。また、遊技板３２の表面には、多数の釘５２が打ち付けられる。
【００３２】
本実施形態における装飾部材としてのセンター役物４４は、従来公知のセンター役物と同様に、遊技板３２に貫設されたセンター挿通孔３８に遊技板３２の前方から挿し入れられると共に、センター役物４４の外方に突出形成されたフランジ状の取付板部５４がボルト等で遊技板３２の表面に固定されることによって遊技板３２に組み付けられる。かかる組付状態において、センター役物４４の外周面となる外周端面５５とセンター挿通孔３８の内周端面５６が遊技板３２の面と平行な方向で所定の空隙５８を隔てて対向位置せしめられる。かかる空隙５８は、センター役物４４の取付板部５４によって正面から視認困難に隠蔽されるようになっている。なお、本実施形態におけるセンター役物４４は、その一部が透光性を有するポリカーボネイト等から成る透光板６０で構成されており、センター役物４４の裏側に取り付けられる照明基板６２に設けられたＬＥＤ６４が、かかる透光板６０の後方から正面に向けて光を照射することによって、センター役物４４の照明が可能とされている。
【００３３】
そして、空隙５８内に、発光領域４０ａ、４０ｂを照明する光源としてのＬＥＤ６６が複数配設されている。図６に示すように、本実施形態におけるＬＥＤ６６は、多少の変形が許容されるシート状のフレキシブル基板６８上に設けられている。かかるフレキシブル基板６８が、センター役物４４の外周端面５５に沿うように取り付けられることによって、ＬＥＤ６６が、センター役物４４の外周端面５５とセンター挿通孔３８の内周端面５６との間に配設される。
【００３４】
特に本実施形態においては、１枚のフレキシブル基板６８上に、ＬＥＤ６６が２列に並んで配設されており、それぞれの列に配設されたＬＥＤ６６が、透明板３６ａおよび透明板３６ｂの内周端面５６とそれぞれ対向位置せしめられるようになっている。但し、フレキシブル基板６８に配設されるＬＥＤ６６の列数は何等限定されるものではなく、１列のＬＥＤ６６を備えるフレキシブル基板６２を２つ用いて、センター役物４４の外周端面５５上において各透明板３６ａ，３６ｂの内周端面５６と対向位置するように２列に並べて設ける等しても良い。更に、フレキシブル基板６８の長さ寸法は発光領域４０ａ，４０ｂの形成位置等を考慮して適当に設定可能であり、特に本実施形態においては、図示は省略するが、１枚のフレキシブル基板６８の長さ寸法がセンター役物４４の略半周とされており、２枚のフレキシブル基板６８を用いることによって、センター役物４４の外周端面５５の全周に亘るようにされている。
【００３５】
かかるフレキシブル基板６８がセンター役物４４の外周端面５５に取り付けられた状態で、センター役物４４が透明板３６ａに組み付けられることにより、ＬＥＤ６６がフレキシブル基板６８を介してセンター役物４４の外周端面５５で支持される。これにより、ＬＥＤ６６は、センター役物４４を介して透明板３６ａで支持されて、空隙５８内に配設されるようになっている。図７に示すように、特に本実施形態における各ＬＥＤ６６は、空隙５８内への配設状態において各透明板３６ａ，３６ｂにおける内周端面５６の、発光領域４０ａ、４０ｂが形成された部位と透明板３６ａ，３６ｂの面と平行な方向で対向位置せしめられている。更に、各ＬＥＤ６６は、その照射方向がフレキシブル基板６８の延出方向に対して直交せしめられており、これにより、各ＬＥＤ６６の照射方向は、内周端面５６に略垂直に入射するようにされている。なお、各ＬＥＤ６６の色は、互いに異ならされても良いし、同じであっても良い。例えば、本実施形態においては、透明板３６ａの内周端面５６と対向位置せしめられるＬＥＤ６６は青色、透明板３６ｂの内周端面５６と対向位置せしめられるＬＥＤ６６は赤色とされている。これらＬＥＤ６６の発光は、フレキシブル基板６８が図示しないランプ制御回路と電気的に接続されることによって、ランプ制御回路によって制御される。
【００３６】
このような構造とされたパチンコ機１０においては、ＬＥＤ６６が発光せしめられることによって、ＬＥＤ６６の光が透明板３６ａ，３６ｂによって構成された遊技板３２に入射せしめられる。そこにおいて、発光領域４０ａ、４０ｂが粗面とされていることから、遊技板３２に入射せしめられた光が、発光領域４０ａ、４０ｂで乱反射（散乱）せしめられて、透明板３６ａ，３６ｂの表面から出射せしめられる。これにより、発光領域４０ａ、４０ｂを、その他の領域よりも明るくすることが出来て、遊技領域３０上において帯状に広がる領域を照明することが出来る。即ち、ＬＥＤ６６の照射方向が透明板３６ａ，３６ｂの面と略平行な方向とされていることから、ＬＥＤ６６から照射された光束の多くは透明板３６ａ，３６ｂの界面（前面および裏面）で反射されて、透明板３６ａ，３６ｂから出射することがない。そこにおいて、発光領域４０ａ，４０ｂとしての粗面に入射した光は乱反射（散乱）せしめられることから、透明板３６ａ，３６ｂの界面に対して臨界角より小さな入射角で入射して透明板３６ａ，３６ｂから出射する光束を多く得ることが出来る。これにより、発光領域４０ａ，４０ｂを、他の領域よりも明るくすることが出来る。
【００３７】
さらに、発光領域４０ａ、４０ｂを形成する粗面は、各透明板３６ａ，３６ｂの裏面に形成されて、各透明板３６ａ，３６ｂの前面は平坦面とされていることから、発光領域４０ａ，４０ｂで散乱された光を遊技板３２の正面から出射せしめ易くされており、発光領域４０ａおよび４０ｂをより有効に明るくすることが可能とされている。それと共に、発光領域４０ａ，４０ｂの粗面が透明板３６ａ，３６ｂの裏面に形成されていることによって、ＬＥＤ６６の非発光時には、遊技板３２の前方からは発光領域４０ａ，４０ｂの存在が遊技者に対して認識され難くされている。これにより、発光領域４０ａ、４０ｂの発光時に与える演出上の効果がより高められている。加えて、本実施形態においては、ＬＥＤ６６が、内周端面５６に対して直角に光が入射するように配設されていると共に、発光領域４０ａ，４０ｂの内周端面５６側の端部と対向する位置に配設されている。これにより、ＬＥＤ６６から照射される光束を発光領域４０ａ，４０ｂにより多く入射させることが出来て、発光領域４０ａ，４０ｂをより明るくすることが出来る。
【００３８】
また、特に本実施形態においては、透明板３６ａに形成された発光領域４０ａと透明板３６ｂに形成された発光領域４０ｂが互いに重なり合うことの無いようにされており、透明板３６ａの内周端面５６と対向位置せしめられたＬＥＤ６６と、透明板３６ｂの内周端面５６と対向位置せしめられたＬＥＤ６６との発光タイミングを異ならせることによって、発光領域４０ａと４０ｂの発光タイミングを異ならせることも可能とされている。なお、透明板３６ａの内周端面５６に対向位置せしめられた複数のＬＥＤ６６の間、および透明板３６ｂの内周端面５６に対向位置せしめられた複数のＬＥＤ６６の間で発光タイミングを異ならせることも勿論可能である。このようにすれば、透明板３６ａに形成された複数の発光領域４０ａの間、および透明板３６ｂに形成された複数の発光領域４０ｂの間で発光タイミングを異ならせることが出来る。
【００３９】
そして、特に本実施形態においては、発光領域４０ａ，４０ｂを照明するＬＥＤ６６が、遊技板３２に貫設されたセンター挿通孔３８の内周端面５６と、センター役物４４の外周端面５５の間に配設されている。これにより、遊技板３２を従来から用いられている遊技板と同様の形状とすることが出来て、機種変更などにより遊技板３２のみを交換する場合にも、有利に対応することが出来る。また、特に遊技板３２の外周縁部４２に何等の別部材も設けられていないことから、運搬や交換などの取扱いの際に作業者に掴まれたり、中枠１４などに当たり易い外周縁部４２の強度を有利に確保して、損傷のおそれを軽減することが出来る。
【００４０】
また、本実施形態においては、ＬＥＤ６６を支持する部材としてセンター役物４４が用いられている。これにより、ＬＥＤ６６を支持する特別な部材も不要とされており、部品点数を抑えることが出来て、製造効率も向上せしめられる。更に、ＬＥＤ６６を挿通孔３２とセンター役物４４の間の空隙５８内に配設したことによって、ＬＥＤ６６の配設スペースを特別に確保することも不要とされており、遊技領域３０のサイズを従来通り確保することが出来る。そして、ＬＥＤ６６をセンター役物４４で正面から隠蔽することが出来て、外観を損なうこと無しに、ＬＥＤ６６を遊技板３２の内部領域に配設することが可能とされている。
【００４１】
以上、本発明の一実施形態について詳述してきたが、これはあくまでも例示であって、本発明は、かかる実施形態における具体的な記載によって、何等、限定的に解釈されるものではない。なお、以下の説明において、前記実施形態と同様の部材および部位については、図中に、前記実施形態と同一の符号を付することにより、それらの詳細な説明を省略する。
【００４２】
例えば、図８に示すような反射鏡７０を用いる等しても良い。本態様においては、軸方向両端に開口せしめられた略椀形状の反射鏡７０がＬＥＤ６６の全周を囲むように配設されており、かかる反射鏡７０の内面には、メッキ処理等による反射面７２が形成されている。そして、反射鏡７０がセンター挿通孔３８の内周端面５６に向けて開口せしめられている。このようにすれば、ＬＥＤ６６から発せられる光束をより多く内周端面５６に入射せしめることが出来て、照明効率をより高めることが出来る。或いは、照明効率を高めるためにレンズを用いる等しても良い。
【００４３】
更にまた、光源の光を入射せしめる配設部は、必ずしもセンター役物４４が配設されるセンター挿通用３８に限定されない。例えば、前記実施形態において、装飾部材としての始動入賞装置４６の外周面で光源を支持せしめて、始動入賞装置４６を挿通せしめる配設部としての始動入賞挿通孔３９（図３参照）の内周端面に光源を対向位置せしめて、始動入賞挿通孔３９の内周端面に光を入射せしめる等しても良い。同様に、大入賞装置４８を装飾部材として用いると共に、大入賞挿通孔４１を配設部として用いること等も、勿論可能である。更にまた、配設部は必ずしも透明板を貫通する貫通孔として形成される必要は無く、例えば透明板の板厚方向でパチンコ機の表裏何れかの側に開口する凹部を形成して、かかる凹部を配設部とする等しても良い。
【００４４】
加えて、遊技盤を構成する透明板の枚数も前記実施形態に限定されるものではないのであって、例えば、１枚の透明板のみで遊技盤を構成したり、透明板を３枚以上用いることも可能である。
【００４５】
さらに、透明板を複数用いる場合において、光源は、必ずしも各透明板に対応して設けられる必要はない。例えば、図９に示すように、２枚の透明板３６ａ，３６ｂの重ね合わせ面と対向するようにＬＥＤ６６を配設して、一つのＬＥＤ６６で両透明板３６ａ，３６ｂを照明する等しても良い。
【００４６】
また、前記実施形態においては、ＬＥＤ６６を備える基板として、変形が許容されるフレキシブル基板６８を用いることによって、センター役物４４の外周端面５５の形状に沿うように基板を配設することが容易とされていたが、変形が許容されないプリント基板を用いることも勿論可能である。更に、光源は必ずしも基板を介して装飾部材に支持されている必要はないのであって、例えば前記実施形態におけるフレキシブル基板６８を外周端面５５以外の適当な場所に配設して、ＬＥＤ６６の端子をフレキシブル基板６８から延び出させて、ＬＥＤ６６を外周端面５５で直接に支持せしめる等してもよい。
【００４７】
また、上記各態様においては、ＬＥＤ６６がセンター役物４４を介して透明板３６ａで支持されていたが、例えば図１０に示す異なる態様としてのパチンコ機のように、ＬＥＤ６６を、ステー７３を介して透明板３６ｂに固定して支持せしめる構成等も、好適に採用され得る。ステー７３は、透明板３６ｂの裏面にボルト等で固定されるようになっており、透明板３６ｂへの取付状態において、内周端面５６と対向位置せしめられる支持部７５が一体形成されている。そして、かかる支持部７５にフレキシブル基板６８が取り付けられることによって、ＬＥＤ６６がステー７３を介して透明板３６ｂに固定的に支持されて、センター挿通孔３８内に配設されている。これにより、ＬＥＤ６６の発光面が内周端面５６と対向位置せしめられている。なお、特に本実施形態において、フレキシブル基板６８には、遊技板３２を照明するためのＬＥＤ６６と共に、センター役物４４を照明するためのＬＥＤ６４が設けられている。そこにおいて、ＬＥＤ６４としてサイドビューＬＥＤが用いられており、フレキシブル基板６８の透明板３６ｂへの取付状態において、ＬＥＤ６４の発光面がセンター役物４４の透光板６０に対向せしめられて、照明効率の向上が図られている。
【００４８】
このようにすれば、透明板３６ｂとＬＥＤ６６を一体的に取り扱うことが出来て、製造工程における取り扱いの容易性が向上せしめられる。更に、ＬＥＤ６６の発光面を内周端面５６で覆うことによって、外部への露出を抑えることが出来て、塵芥等の付着のおそれも軽減される。加えて、ＬＥＤ６６と内周端面５６の相対位置を容易且つ精度良く設定することが出来て、製造効率の向上が図られると共に、温度や湿度等の動作環境に起因して透明板３６ｂに反りが生じた場合でも、ＬＥＤ６６と透明板３６ｂとの相対的な位置ずれのおそれを軽減することが出来る。なお、本実施形態においてステー７３は必ずしも必要ではなく、例えば支持部７５に相当する部位を透明板３６ｂに一体形成する等しても良い。
【００４９】
さらに、遊技板３２は、一対の透明板３６ａ，３６ｂが板厚方向で重ね合わされて構成されており、特に本実施形態においては、前方に位置せしめられる透明板３６ａは、表裏両面が何れも粗面の形成されていない平坦面とされている一方、後方に位置せしめられる透明板３６ｂには、前面に発光領域４０ｂが形成されている。これにより、透明板３６ａ，３６ｂの積層状態において、前方に位置せしめられた透明板３６ａの裏面側に透明板３６ｂの発光領域４０ｂが位置せしめられるようになっており、前方に位置せしめられた透明板３６ａの乱反射領域が、後方に位置せしめられた透明板３６ｂの発光領域４０ｂによって構成されている。このようにすれば、例えば後方に位置せしめられた透明板３６ｂのみを交換することによって、釘調整位置等はそのままに、発光領域４０ｂの形状のみを変更すること等も可能とされる。
【００５０】
更にまた、前記実施形態において、乱反射領域としての発光領域４０ａ、４０ｂは、透明板３６ａ，３６ｂの表面や裏面が直接に粗面加工されることによって形成されていたが、例えば、図１１に透明板３６ａを例に示すように、透明板３６ａとは別体とされた反射板部材７４を用いる等しても良い。反射板部材７４は例えば、アクリル樹脂などで形成された透明の板材とされており、その一方の面に、レーザー加工等の粗面加工が施されることによって、粗面７６が形成されている。そして、粗面７６を透明板３６ａの裏面（図１１中、右側の面）に重ね合わせた状態で、反射板部材７４が透明板３６ａの裏面に接着等により取り付けられている。これにより、反射板部材７４の粗面７６によって、透明板３６ａの裏面に乱反射領域が構成される。このように、乱反射領域は、必ずしも透明板を直接加工して形成する必要はないのであって、光を乱反射する領域を備えた別体の部材によって構成する等しても良い。更に、光を乱反射する領域は、必ずしも粗面加工によって形成される必要は無く、例えば光を乱反射せしめる表面粗さを有する部材の表面をそのまま用いる等しても良い。
【００５１】
なお、図１２に示すように、図１１に示した反射板部材７４を透明板３６ａと屈折率の略等しい部材、より好適には、透明板３６ａと同じ部材で形成すると共に、粗面７６と透明板３６ａの裏面との間を、反射板部材７４および透明板３６ａと略等しい屈折率を有する適当なゲルや接着剤等の充填剤７８で充填することによって、透明板３６ａ，反射板部材７４、およびその間の充填剤７８の屈折率を略等しくする等しても良い。このようにすれば、屈折率の違いに起因する界面での反射を抑えて、透明板３６ａに入射せしめられた光束を粗面７６により効果的に入射せしめることが出来ると共に、粗面７６で乱反射された光束を透明板３６ａの前面からより効果的に出射せしめることが出来る。
【００５２】
更にまた、図１３に示すように、図１１に示した反射板部材７４における粗面７６と反対側の平坦面８０を透明板３６ａの裏面に重ね合わせて固定する等しても良い。このようにしても、透明板３６ａに入射せしめられた光束を粗面７６で乱反射せしめることが出来る。そこにおいて、より好適には、反射板部材７４を透明板３６ａと略等しい屈折率の部材で形成すると共に、平坦面８０と透明板３６ａの裏面を可及的に広範囲で、直接に重ね合わせた態様が採用される。このようにすれば、前記図１２の態様と略同様に、屈折率の違いに起因する照明効率の低下を抑えることが出来る。なお、平坦面８０と透明板３６ａの裏面を直接に重ね合わせるには、反射板部材７４と透明板３６ａとの接着部位や使用する接着剤の量を調節したり、反射板部材７４を透明板３６ａに対してボルトで固定する等すれば良い。
【００５３】
また、乱反射領域の形状が何等限定されないことは、言うまでもない。例えば、前記実施形態においては、発光領域４０ａ，４０ｂは何れも全体として遊技板３２のセンター挿通孔３８の内周端面５６から外周縁部４２に亘って形成されていたが、例えば、発光領域を内周端面５６と外周縁部４２の中間部分に形成することも勿論可能である。
【００５４】
なお、上記実施形態から把握できる本発明の技術思想について以下に記載する。
【００５５】
（１）前記透明板を板厚方向で積層構造として前記遊技盤を構成すると共に、裏面側に位置せしめられた該透明板に乱反射領域を形成する一方、光源を該裏面側に位置せしめられた透明板に固定して支持せしめた請求項１又は２に記載のパチンコ機。
【００５６】
このようにすれば、光源が、必要に応じてステー等を用いて透明板に固定される。これにより、光源と透明板を一体的に取り扱うことが出来ると共に、組付精度に対する要求の緩和や、透明板の反り等に起因する光源との相対的な位置ずれの軽減を図ることが出来る。また、裏面側に位置せしめられた透明板に乱反射領域を形成したことによって、釘が打ち付けられた前面側の透明板をそのままにして裏面側の透明板のみを交換することも出来る。これにより、釘調整位置等を変更することなく、乱反射領域の形状のみを変更することも容易となる。
【符号の説明】
【００５７】
１０：パチンコ機、１６：遊技盤、３０：遊技領域、３６ａ，ｂ：透明板、３８：センター挿通孔、４０ａ、ｂ：発光領域、４４：センター役物、５５：外周端面、５６：内周端面、５８：空隙、６６：ＬＥＤ
【図１】
2009207881.tif 000003
【図２】
2009207881.tif 000004
【図３】
2009207881.tif 000005
【図４】
2009207881.tif 000006
【図５】
2009207881.tif 000007
【図６】
2009207881.tif 000008
【図７】
2009207881.tif 000009
【図８】
2009207881.tif 000010
【図９】
2009207881.tif 000011
【図１０】
2009207881.tif 000012
【図１１】
2009207881.tif 000013
【図１２】
2009207881.tif 000014
【図１３】
2009207881.tif 000015